(57)【特許請求の範囲】
【請求項１】
ヘアキャッチャー本体の前側略半部を、複数の排水孔が形成されると共に左右両側から中央に向かって下り傾斜して窪んだ排水部とし、ヘアキャッチャー本体の後側に位置する部分から平面視でヘアキャッチャー本体の後側の略半部に亘る立上部を立ち上げ、立上部をヘアキャッチャー本体の中心を中心とした中心角９０度以上の平面視略扇状に形成し、排水部をヘアキャッチャー本体の中心を中心とした中心角が１８０度を超える平面視略扇状に形成し、該立上部の上端部に後方に向けて突出する板状の摘み部を設け、摘み部の上面を凹んで湾曲した凹曲面とすると共に摘み部の先端部の下面に指掛け部を突設して成ることを特徴とするヘアキャッチャー。
【請求項２】
前記摘み部を立上部から斜め上方に向けて突出して成ることを特徴とする請求項１に記載のヘアキャッチャー。
【発明の詳細な説明】
【技術分野】
【０００１】
本発明は排水口に設置されるヘアキャッチャーに関する。
【背景技術】
【０００２】
従来から浴室の洗い場等に形成される排水口には排水に含まれる毛髪等のゴミを捕集するためにヘアキャッチャーが設置される。
【０００３】
ところで一般的なヘアキャッチャーには取手を設けてあり、例えば図４に示す特許文献１のヘアキャッチャー１にあっては、取手４０から突出した摘み部３２を指で摘んでヘアキャッチャー１を保持できるようになっている。
【０００４】
ところが、上記摘み部３２は指でしっかりと固定して摘まむことが難しく、このためヘアキャッチャー１に捕集した毛髪等のゴミを取り除く際に誤ってヘアキャッチャー１を落下させる恐れがある。
【特許文献１】特開２００６−２４２３号公報
【発明の開示】
【発明が解決しようとする課題】
【０００５】
本発明は上記従来の問題点に鑑みてなされたものであって、摘み部をしっかりと指で摘むことができて、ヘアキャッチャーに付着したゴミを取り除く際に誤ってヘアキャッチャーを落下することを防止でき、手入れを容易にできるヘアキャッチャーを提供することを課題とするものである。
【課題を解決するための手段】
【０００６】
上記課題を解決するために請求項１のヘアキャッチャーは、ヘアキャッチャー本体２３の前側略半部を、複数の排水孔２８が形成されると共に左右両側から中央に向かって下り傾斜して窪んだ排水部２７とし、ヘアキャッチャー本体２３の後側に位置する部分から平面視でヘアキャッチャー本体２３の後側の略半部に亘る立上部２９を立ち上げ、立上部２９をヘアキャッチャー本体２３の中心を中心とした中心角９０度以上の平面視略扇状に形成し、排水部２７をヘアキャッチャー本体２３の中心を中心とした中心角が１８０度を超える平面視略扇状に形成し、該立上部２９の上端部に後方に向けて突出する板状の摘み部３２を設け、摘み部３２の上面を凹んで湾曲した凹曲面３５とすると共に、摘み部３２の先端部の下面に指掛け部３６を突設して成ることを特徴とする。
【０００７】
このように摘み部３２を板状に形成することで、摘み部３２をしっかりと指で摘むことができる。また、摘み部３２を指で摘んだ時に親指を当てる面となる摘み部３２の上面を凹んで湾曲した凹曲面３５とすることで、摘み部３２を指で摘んだ時には、親指の腹を凹曲面３５に密着させることができ、摘み部３２をよりしっかりと指で摘むことができる。また、摘み部３２を摘んだ時に人指し指を指掛け部３６に引っ掛けることができ、摘み部３２をよりしっかりと指で摘むことができる。
【００１２】
また、請求項２は請求項１において、前記摘み部３２を立上部２９から斜め上方に向けて突出して成ることを特徴とする。摘み部３２を先端側から摘もうとする指が摘み部３２に当たり難くなる。
【発明の効果】
【００１３】
請求項１に係る発明では、摘み部をしっかりと指で摘むことが可能となり、ヘアキャッチャーに付着した毛髪等のゴミを取り除く際に誤ってヘアキャッチャーを落下することを防止でき、ヘアキャッチャーの手入れが容易になる。
【００１４】
また、請求項２に係る発明では、請求項１に係る発明の効果に加えて、摘み部を先端側から摘む際にアプローチしやすくなる。
【発明を実施するための最良の形態】
【００１５】
以下、本発明を添付図面に示す実施形態に基づいて説明する。
【００１６】
まず、本例のヘアキャッチャー１が設置される排水構造につき説明する。図３に示すように本例のヘアキャッチャー１が設置される排水口２は浴室の洗い場に形成したものである。浴室の床パン３は洗い場を構成する洗い場部４と浴槽が設置される浴槽設置部５を備えている。洗い場部４の浴槽設置部５側の端部には凹所６を形成してあり、凹所６の底部には取付口７を形成している。取付口７には排水トラップ８を取り付けてあり、該排水トラップ８は、取付口７の下方に配置される容器状のトラップ本体９と、トラップ本体９に取り付けた取付用筒体１０と、トラップ本体９の内側に挿入される封水筒体１１とを備えている。
【００１７】
トラップ本体９の上面に形成した開口部９ａには取付用筒体１０の下部をねじ込んで取り付けてあり、この取付用筒体１０の上端部外周から突設した上側鍔部１３とトラップ本体９の開口部９ａの周縁部とで取付口７の周縁部をパッキン１４を介して挟持することで、トラップ本体９は水密的に取付口７に取り付けられている。トラップ本体９の外周壁部の上部には出口部１５を設けてあり、出口部１５にはトラップ本体９内の排水を下水へ排出するための排水管１６を接続している。
【００１８】
取付用筒体１０の下端部内周からは下側鍔部１７を突設し、下側鍔部１７上には封水筒体１１の上端部に周設したフランジ部１８を載設している。封水筒体１１の下部はトラップ本体９の出口部１５よりも下方の位置まで挿入されて、トラップ本体９内の溜水内に浸かっており、これによりトラップ本体９内に封水部を形成している。排水口２は取付用筒体１０の上端開口部で構成してあり、該排水口２にヘアキャッチャー１を着脱自在に取り付けてある。
【００１９】
前述の凹所６には排水口２の上方を覆う排水カバー１９を配置している。排水カバー１９は外周部から下方に向けて突設した脚部２１を取付口７の周縁部よりも一段高くなった凹所６の底部に載置することでヘアキャッチャー１の上方に設置されている。排水カバー１９の外周縁から下方に突出した複数の脚部２１間には開口１２を形成してあり、該開口１２の上縁と凹所６の底部の間に流水用隙間２２を形成している。この流水用隙間２２は排水カバー１９の四方に形成してあり、流水用隙間２２を介して排水が排水カバー１９の四方から流入するようになっている。
【００２０】
上記排水構造にあっては、床パン３の洗い場部４上の水が凹所６の内周面と排水カバー１９の外周面との間の隙間２０から流水用隙間２２を介して排水カバー１９の下方に流入し、次いで排水口２に流入してヘアキャッチャー１で毛髪やゴミが捕集され、この後、封水筒体１１、トラップ本体９、排水管１６を順に介して外部に排出される。
【００２１】
以下、図１及び図２に基づいて上記排水口２に設置されるヘアキャッチャー１について詳述する。なお、以下の説明では、後述の排水部２７及び立上部２９のうち排水部２７側を前側とすると共に立上部２９側を後側とする。
【００２２】
図１に示す本例のヘアキャッチャー１は平面視円形で浅底皿状のヘアキャッチャー本体２３で主体を構成してある。ヘアキャッチャー本体２３の上端縁には外側方に突出する円環状の外周枠２４を設けてあり、該外周枠２４でヘアキャッチャー本体２３の外周縁部を構成している。ヘアキャッチャー本体２３の中央部を挟んだ外周枠２４の左右両側部分には下方に延出した延出部（図示せず）を形成すると共に、各延出部にヘアキャッチャー本体２３の周方向に伸びてヘアキャッチャー本体２３の外側に開口する係止溝２６（図３参照）を形成している。
【００２３】
ヘアキャッチャー本体２３の外周枠２４で囲まれた中央部の前後方向における片側略半部はヘアキャッチャー本体２３の外周よりも窪んだ排水部２７としてあり、図示例の排水部２７は中心角が１８０度を超える平面視扇状をしている。排水部２７には上下に貫通する円形の排水孔２８を略全域に亘って多数形成してあり、排水時には排水部２７の多数の排水孔２８を介して排水がなされ、排水部２７にて毛髪等のゴミが捕集される。なお、排水部２７にはその左右両側から中央に向かって下り傾斜する水勾配を設けてあり、排水に含まれる毛髪等のゴミは排水部２７の最も下方に位置する左右方向中央部に主に堆積する。
【００２４】
ヘアキャッチャー本体２３の排水部２７と反対側で且つヘアキャッチャー本体２３の外周枠２４で囲まれた領域にはヘアキャッチャー本体２３から一体に立ち上げた有蓋筒状の立上部２９を形成している。図２（ｂ）にも示すように立上部２９は平面視で円形のヘアキャッチャー本体２３の中心を中心とした中心角９０度以上の略扇状に形成してあり、そのヘアキャッチャー本体２３から立ち上げた排水部２７と反対側の外側面は平面視でヘアキャッチャー本体２３と同心円弧状の弧状面３０となり、ヘアキャッチャー本体２３の最外周縁に沿っている。このため立上部２９には毛髪等の比較的長いゴミが引っ掛かり難くなっている。
【００２５】
上記立上部２９はヘアキャッチャー１を排水口２に設置した状態で排水口２よりも上方に突出し、この立上部２９の上端を閉塞する上面板部３４には上下に貫通する円形のオーバーフロー孔３１を略全域に亘って多数形成している。オーバーフロー孔３１は筒状の立上部２９の下端開口を通じて下方に連通し、排水部２７の多数の排水孔２８がゴミで目詰まりした場合等に排水の水位が立上部２９よりも上方に位置すると、このオーバーフロー水をオーバーフロー孔３１を介して排水できるようになっている。
【００２６】
また、立上部２９の上端部には指で摘まむための摘み部３２を突設してあり、オーバーフロー孔３１を有する立上部２９とで取手を構成している。即ち立上部２９はオーバーフロー水を排出するための流路と取手の立ち上げ部分を兼用している。摘み部３２は横長片状に形成され、立上部２９の上面板部３４から円形のヘアキャッチャー本体２３の中心から離れる方向に突出し、詳しくは上面板部３４の左右方向の中央部から後方（ヘアキャッチャー１の中心と反対側）に向かって突出している。摘み部３２はヘアキャッチャー１を排水口２に設置した状態で排水口２の周縁部（即ち取付用筒体１０の上側鍔部１３）の上方に位置するため、この摘み部３２を指で摘んで排水口２に設置したヘアキャッチャー１の取り出しを容易且つ清潔に行える。また、捕集した毛髪等のゴミを除去する際に、摘み部３２を指で摘まんでゴミを簡単に振り落とすこともできる。
【００２７】
上記ヘアキャッチャー１を既述の排水構造における排水口２に取り付けるには、ヘアキャッチャー本体２３を排水口２（即ち取付用筒体１０）に挿入した後にヘアキャッチャー１を周方向に回転し、これにより図３に示す前記各係止溝２６の一端開口から排水口２の内面から突設した係止突部３３を挿入して係止する。また、手入れの際等に排水口２からヘアキャッチャー１を取り出すには上記取り付け状態にあるヘアキャッチャー１を取り付け時とは反対方向に回転し、各係止溝２６から係止突部３３を引き出して係止を解除し、この後、ヘアキャッチャー１を上方に引き出す。
【００２８】
ここで、上記ヘアキャッチャー１の摘み部３２は横に長い板状に形成してあるのでしっかりと指で摘むことができ、また、以下の構造的特徴を有することで、摘み部３２はよりしっかりと固定した状態で指で摘めるようになっている。
【００２９】
図２（ｃ）に示すように摘み部３２の突出方向と直交する方向に切断してなる断面は左右方向の中央部が下方に位置するように湾曲した弧状に形成してあり、摘み部３２の上面は凹んで湾曲した凹曲面３５となっている。この凹曲面３５は摘み部３２の先端側から摘み部３２を摘んだ時に親指を当てる面となる指当て面を構成するものであり、断面弧状となった凹曲面３５の曲率半径は摘み部３２を摘んだ親指の腹に沿うように５〜１２０ｍｍとなっている。従って、摘み部３２を指で摘んだ時には、親指の腹を凹曲面３５に密着させることができ、これにより摘み部３２を一層しっかりと摘むことができる。
【００３０】
また、図２（ａ）に示すように摘み部３２の先端部の下面には指掛け部３６を一体に突設している。指掛け部３６は下方に向けて１ｍｍ以上突出し、該指掛け部３６の前方の立上部２９との間に下方に開口する指入れ凹所３７を形成している。従って、前述のように摘み部３２の先端側から摘み部３２を摘んだ時には、人指し指を指入れ凹所３７に位置させると共に該人差し指を前記摘み部３２の下面に突設した指掛け部３６に引っ掛けることができ、これにより摘み部３２を一層しっかりと摘むことができる。なお、指掛け部３６は摘み部３２の先端部における幅方向の全長に亘って形成してあっても良いし、幅方向の中央部にのみ形成するなど幅方向の一部にのみ形成してあって良い。
【００３１】
また、本例の摘み部３２は図２（ａ）に示すように立上部２９から斜め上方に向けて突出しており、水平に対する傾斜角度θを１度以上としている。このため前述のように摘み部３２を先端側から摘もうとする指が摘み部３２に当たり難く、摘み部３２を先端側から摘む際に摘み部３２へのアプローチが容易にもなっている。
【００３２】
以上のように本例のヘアキャッチャー１は、摘み部３２を横に長い板状に形成し、摘み部３２を指で摘んだ時に親指を当てる面となる摘み部３２の上面を凹んで湾曲した凹曲面３５とすると共に、摘み部３２の先端部の下面に指掛け部３６を突設することで、親指の腹を凹曲面３５に密着させると共に、人指し指を指入れ凹所３７に位置させると共に該人差し指を前記摘み部３２の下面に突設した指掛け部３６に引っ掛けた状態で、摘み部３２をしっかりと固定して摘むことができ、これによりヘアキャッチャー１に付着した毛髪等のゴミを取り除く際に誤ってヘアキャッチャー１を落下することを防止でき、ヘアキャッチャー１の手入れが容易になる。特に、摘み部３２をしっかりと摘むことができるので、ヘアキャッチャー１に付着した毛髪等のゴミを取り除くにあたって、摘み部３２を指で摘んだ状態でヘアキャッチャーを引っ繰り返し、ヘアキャッチャー１に付着したゴミを振り落とすといった手入れ方法を採用でき、且つこの際に誤って指を滑らせてヘアキャッチャー１を落下させるといった事態が生じることを防止できるものである。
【００３３】
なお、本発明では毛髪等のゴミを振り落とす点では上記実施形態のヘアキャッチャー１のようにヘアキャッチャー本体２３の片側に摘み部３２を有する立上部２９を設けることが特に有効であるが、勿論、ヘアキャッチャー本体２３の両側に摘み部３２を有する立上部２９を設けても良いことは言うまでも無い。
【図面の簡単な説明】
【００３４】
【図１】本発明の実施の形態の一例のヘアキャッチャーの平面図である。
【図２】同上のヘアキャッチャーの立上部を示し、（ａ）は（ｂ）のＡ−Ａ断面図であり、（ｂ）は平面図であり、（ｃ）は（ｂ）のＢ−Ｂ断面図である。
【図３】同上のヘアキャッチャーを設置した排水構造を示す断面図である。
【図４】従来のヘアキャッチャーを設置した排水構造を示す断面図である。
【符号の説明】
【００３５】
１  ヘアキャッチャー
２３  ヘアキャッチャー本体
２８  排水孔
２９  立上部
３２  摘み部
３５  凹曲面
３６  指掛け部
【図１】
0005270880.tif 000002
【図２】
0005270880.tif 000003
【図３】
0005270880.tif 000004
【図４】
0005270880.tif 000005